(57)【要約】【課題】  ディスプレイスピーカーが再生出来ない周波数成分を再生することができるＡＶアンプを提供する。【解決手段】  ＡＶアンプは、第１ｃｈ音声データから高域成分を抽出するＨＰＦと、第１ｃｈ音声データから低域成分を抽出するＬＰＦと、ＬＰＦによって抽出された音声データを第２ｃｈ音声データに加算する加算手段と、加算手段からの音声データをＡＶアンプに接続されたスピーカーから再生させる再生手段と、ＬＰＦによって抽出された第１ｃｈ音声データをディスプレイ装置に送信し、ディスプレスピーカーから再生させる送信手段と、ディスプレイ装置からディスプレイスピーカーによって再生不可能な周波数の情報を受信する受信手段と、ディスプレイスピーカーが再生不可能な周波数の情報に基づいて、ＨＰＦ及びＬＰＦの通過周波数を設定する設定手段とを備える。【選択図】図３
2013090300.tif 000002
【特許請求の範囲】
【請求項１】
ディスプレイスピーカーを備えるディスプレイ装置と、複数のスピーカーとが接続可能な音声処理装置であって、
マルチチャンネル音声データに含まれる第１チャンネル音声データから高域成分を抽出する高域通過フィルタと、
前記第１チャンネル音声データから低域成分を抽出する低域通過フィルタと、
前記低域通過フィルタによって抽出された前記第１チャンネル音声データの低域成分を、前記マルチチャンネル音声データに含まれる第２チャンネル音声データに加算する加算手段と、
前記加算手段によって前記第１チャンネル音声データの低域成分が加算された前記第２チャンネル音声データを、前記音声処理装置に接続されたスピーカーから再生させる再生手段と、
前記高域通過フィルタによって抽出された前記第１チャンネル音声データの高域成分を前記ディスプレイ装置に送信し、前記ディスプレスピーカーから再生させる送信手段と、
前記ディスプレイ装置から、前記ディスプレイスピーカーによって再生不可能な周波数の情報を受信する受信手段と、
前記ディスプレイスピーカーが再生不可能な周波数の情報に基づいて、前記ディスプレイスピーカーで再生不可能な周波数成分を前記音声処理装置に接続されたスピーカーから再生されるように、前記高域通過フィルタおよび前記低域通過フィルタの通過周波数を設定する設定手段とを備える、音声処理装置。
【請求項２】
前記第１チャンネル音声データを前記ディスプレイスピーカーから再生するか、又は、前記第１チャンネル音声データを前記音声処理装置に接続されたスピーカーから再生するかをユーザ操作に応じて切換える切換手段をさらに備え、
前記第１チャンネル音声データを前記ディスプレイスピーカーから再生する場合に、前記設定手段が、前記ディスプレイスピーカーが再生不可能な周波数の情報に基づいて、前記ディスプレイスピーカーで再生不可能な周波数成分を前記音声処理装置に接続されたスピーカーから再生されるように、前記高域通過フィルタおよび前記低域通過フィルタの通過周波数を設定し、
前記第１チャンネル音声データを前記音声処理装置に接続されたスピーカーから再生する場合に、前記設定手段が、予め設定された周波数に、前記高域通過フィルタおよび前記低域通過フィルタの通過周波数を設定する、請求項１に記載の音声処理装置。
【請求項３】
ディスプレイスピーカーを備えるディスプレイ装置と、複数のスピーカーとが接続可能であり、マルチチャンネル音声データに含まれる第１チャンネル音声データから高域成分を抽出する高域通過フィルタと、
前記第１チャンネル音声データから低域成分を抽出する低域通過フィルタと、前記低域通過フィルタによって抽出された前記第１チャンネル音声データの低域成分を、前記マルチチャンネル音声データに含まれる第２チャンネル音声データに加算する加算手段と、前記加算手段によって前記第１チャンネル音声データの低域成分が加算された前記第２チャンネル音声データを、前記音声処理装置に接続されたスピーカーから再生させる再生手段と、前記高域通過フィルタによって抽出された前記第１チャンネル音声データの高域成分を前記ディスプレイ装置に送信し、前記ディスプレスピーカーから再生させる送信手段とを備える音声処理装置の動作プログラムであって、
前記ディスプレイ装置から、前記ディスプレイスピーカーによって再生不可能な周波数の情報を受信する受信ステップと、
前記ディスプレイスピーカーが再生不可能な周波数の情報に基づいて、前記ディスプレイスピーカーで再生不可能な周波数成分を前記音声処理装置に接続されたスピーカーから再生されるように、前記高域通過フィルタおよび前記低域通過フィルタの通過周波数を設定する設定ステップとを前記音声処理装置に実行させる、音声処理装置の動作プログラム。
【請求項４】
ディスプレイスピーカーを備えるディスプレイ装置であって、
複数のスピーカーが接続可能であり、マルチチャンネル音声データに含まれる第１チャンネル音声データから高域成分を抽出する高域通過フィルタと、前記第１チャンネル音声データから低域成分を抽出する低域通過フィルタと、前記低域通過フィルタによって抽出された第１チャンネル音声データの低域成分を、前記マルチチャンネル音声データに含まれる第２チャンネル音声データに加算する加算手段と、前記加算手段によって第１チャンネル音声データの低域成分が加算された前記第２チャンネル音声データを、前記音声処理装置に接続されたスピーカーから再生させる再生手段と、前記高域通過フィルタによって抽出された前記第１チャンネル音声データの高域成分を前記ディスプレイ装置に送信する送信手段と、前記ディスプレイ装置から、前記ディスプレイスピーカーによって再生不可能な周波数の情報を受信する受信手段と、前記ディスプレイスピーカーが再生不可能な周波数の情報に基づいて、前記ディスプレイスピーカーで再生不可能な周波数成分を前記音声処理装置に接続されたスピーカーから再生されるように、前記高域通過フィルタおよび前記低域通過フィルタの通過周波数を設定する設定手段とを備える音声処理装置が接続可能であり、
前記音声処理装置から、前記高域通過フィルタによって抽出された第１チャンネル音声データの高域成分を受信する音声受信手段と、
前記高域通過フィルタによって抽出された第１チャンネル音声データの高域成分を前記ディスプレイスピーカーから再生させる音声再生手段と、
前記ディスプレイスピーカーによって再生不可能な周波数の情報を予め記憶する記憶手段と、
前記ディスプレイスピーカーによって再生不可能な周波数の情報を前記音声処理装置に送信する情報送信手段とを備える、ディスプレイ装置。
【発明の詳細な説明】
【技術分野】
【０００１】
本発明は、音声処理装置に関し、マルチチャンネル音声データを、音声処理装置に接続されたスピーカーおよびディスプレイが備えるディスプレイスピーカーから再生する音声処理装置に関する。
【背景技術】
【０００２】
ＨＤＭＩ規格に準拠したソース機器であるＢＤプレーヤと、リピーター機器であるＡＶアンプと、シンク機器であるディスプレイ装置とを備える音声再生システムが利用されており、ソース機器から出力されるＨＤＭＩデータに映像データ及び音声データを含めることにより、１本のＨＤＭＩケーブルによって映像データ及び音声データの両方をリピーター機器又はシンク機器に送信することができる。ＡＶアンプは、ＢＤプレーヤから受信したＨＤＭＩデータを元の映像データ及び音声データに変換し、音声データを増幅してスピーカーに出力すると共に、映像データを再度ＨＤＭＩデータに変換し、ディスプレイ装置に送信する。ディスプレイ装置は、受信したＨＤＭＩデータを元の映像データに変換して表示する。
【０００３】
ＢＤプレーヤからＡＶアンプに送信されるＨＤＭＩデータに含まれている音声データは、マルチチャンネル音声データがエンコードされたものである。例えば、マルチチャンネル音声データは、左音声データＬ、右音声データＲ、中央音声データＣ、低域音声データＳＷ、サラウンド左音声データＳＬ、サラウンド右音声データＳＲを含む５．１ｃｈのマルチチャンネル音声データが採用されている。また、最近では、Dolby True HD、Dolby Digital Plus、DTS-HD等のＨＤ（High
Definition）関連の音声フォーマットが登場してきており、これらのフォーマットにおいては、例えば、サラウンド後方左音声データＳＢＬ、サラウンド後方右音声データＳＢＲ、左上側音声データＬｈ、右上側音声データＲｈ、左外側音声データＬｗ、右外側音声データＲｗがさらに追加されている。
【０００４】
下記特許文献１には、以下の技術を記載する。ＡＶアンプにおいて、ＨＤＭＩ受信部は、ＢＤプレーヤから受信したＨＤＭＩデータから、元の映像データと元のマルチチャンネル音声データとを生成し、映像データをＨＤＭＩ送信部に供給し、音声データを音声処理部に供給する。音声処理部は、マルチチャンネル音声データをデコードし、中央音声データＣのみをＨＤＭＩ送信部に供給し、他のチャンネルの音声データをＤ／Ａ変換し、増幅処理し、スピーカーに出力する。ＨＤＭＩ送信部は、供給された映像データと中央音声データＣとからＨＤＭＩデータを生成し、ディスプレイ装置に送信する。ディスプレイ装置は、受信したＨＤＭＩデータから元の映像データと中央音声データＣとを生成し、映像を表示すると共に、中央音声データＣを内蔵するディスプレイスピーカーから再生する。
【０００５】
ここで、ディスプレイ装置が内蔵するディスプレイスピーカーは非常に安価なスピーカーが使用されることが一般的であり、ＡＶアンプに接続されるスピーカーと比較して、中央音声データＣの低域成分を十分に再生することができない。なお、ディスプレイ装置のディスプレイスピーカーを使用して中央音声データＣを再生する場合だけに限らず、他のチャンネルの音声データ（例えば、左上側音声データＬｈ、右上側音声データＲｈ等）をディスプレイ装置のディスプレイスピーカーで再生する場合にも同様の問題が生じる。
【先行技術文献】
【特許文献】
【０００６】
【特許文献１】特開２００７−２８８２４７号公報
【発明の概要】
【発明が解決しようとする課題】
【０００７】
本発明は上記従来の課題を解決するためになされたものであり、その目的は、所定チャンネルの音声データをディスプレイ装置に送信し、ディスプレイ装置が備えるディスプレイスピーカーから再生する場合に、ディスプレイ装置のディスプレイスピーカーが再生することが出来ない周波数帯域の音声信号を再生することができる音声処理装置を提供することである。
【課題を解決するための手段】
【０００８】
本発明の好まし実施形態による音声処理装置は、ディスプレイスピーカーを備えるディスプレイ装置と、複数のスピーカーとが接続可能な音声処理装置であって、マルチチャンネル音声データに含まれる第１チャンネル音声データから高域成分を抽出する高域通過フィルタと、前記第１チャンネル音声データから低域成分を抽出する低域通過フィルタと、前記低域通過フィルタによって抽出された前記第１チャンネル音声データの低域成分を、前記マルチチャンネル音声データに含まれる第２チャンネル音声データに加算する加算手段と、前記加算手段によって前記第１チャンネル音声データの低域成分が加算された前記第２チャンネル音声データを、前記音声処理装置に接続されたスピーカーから再生させる再生手段と、前記高域通過フィルタによって抽出された前記第１チャンネル音声データの高域成分を前記ディスプレイ装置に送信し、前記ディスプレスピーカーから再生させる送信手段と、前記ディスプレイ装置から、前記ディスプレイスピーカーによって再生不可能な周波数の情報を受信する受信手段と、前記ディスプレイスピーカーが再生不可能な周波数の情報に基づいて、前記ディスプレイスピーカーで再生不可能な周波数成分を前記音声処理装置に接続されたスピーカーから再生されるように、前記高域通過フィルタおよび前記低域通過フィルタの通過周波数を設定する設定手段とを備える。
【０００９】
本実施形態によると、音声処理装置は、ディスプレイ装置から、ディスプレイスピーカーの再生不可能な周波数の情報を受信し、この情報に基づいて、高域通過フィルタおよび低域通過フィルタの通過周波数を設定する。これにより、ディスプレイスピーカーで再生不可能な周波数成分を音声処理装置に接続されたスピーカーから再生されるようにすることができる。
【００１０】
好ましい実施形態においては、音声処理装置は、第１チャンネル音声データを前記ディスプレイスピーカーから再生するか、又は、第１チャンネル音声データを前記音声処理装置に接続されたスピーカーから再生するかをユーザ操作に応じて切換える切換手段をさらに備え、第１チャンネル音声データを前記ディスプレイスピーカーから再生する場合に、前記設定手段が、前記ディスプレイスピーカーが再生不可能な周波数の情報に基づいて、前記ディスプレイスピーカーで再生不可能な周波数成分を前記音声処理装置に接続されたスピーカーから再生されるように、前記高域通過フィルタおよび前記低域通過フィルタの通過周波数を設定し、第１チャンネル音声データを前記音声処理装置に接続されたスピーカーから再生する場合に、前記設定手段が、予め設定された周波数に、前記高域通過フィルタおよび前記低域通過フィルタの通過周波数を設定する。
【００１１】
本実施形態によると、第１チャンネル音声データを音声処理装置に接続されたスピーカーから再生する場合に、設定手段が、予め設定された周波数に、高域通過フィルタおよび低域通過フィルタの通過周波数を設定するので、音声処理装置に接続されたスピーカーで再生される第１チャンネル音声データから、無駄に周波数成分が除去されることを防止できる。
【００１２】
本発明の好ましい実施形態による音声処理装置の動作プログラムは、ディスプレイスピーカーを備えるディスプレイ装置と、複数のスピーカーとが接続可能であり、マルチチャンネル音声データに含まれる第１チャンネル音声データから高域成分を抽出する高域通過フィルタと、前記第１チャンネル音声データから低域成分を抽出する低域通過フィルタと、前記低域通過フィルタによって抽出された前記第１チャンネル音声データの低域成分を、前記マルチチャンネル音声データに含まれる第２チャンネル音声データに加算する加算手段と、前記加算手段によって前記第１チャンネル音声データの低域成分が加算された前記第２チャンネル音声データを、前記音声処理装置に接続されたスピーカーから再生させる再生手段と、前記高域通過フィルタによって抽出された前記第１チャンネル音声データの高域成分を前記ディスプレイ装置に送信し、前記ディスプレスピーカーから再生させる送信手段とを備える音声処理装置の動作プログラムであって、前記ディスプレイ装置から、前記ディスプレイスピーカーによって再生不可能な周波数の情報を受信する受信ステップと、前記ディスプレイスピーカーが再生不可能な周波数の情報に基づいて、前記ディスプレイスピーカーで再生不可能な周波数成分を前記音声処理装置に接続されたスピーカーから再生されるように、前記高域通過フィルタおよび前記低域通過フィルタの通過周波数を設定する設定ステップとを前記音声処理装置に実行させる。
【００１３】
本発明の好ましい実施形態によるディスプレイ装置は、ディスプレイスピーカーを備えるディスプレイ装置であって、複数のスピーカーが接続可能であり、マルチチャンネル音声データに含まれる第１チャンネル音声データから高域成分を抽出する高域通過フィルタと、前記第１チャンネル音声データから低域成分を抽出する低域通過フィルタと、前記低域通過フィルタによって抽出された第１チャンネル音声データの低域成分を、前記マルチチャンネル音声データに含まれる第２チャンネル音声データに加算する加算手段と、前記加算手段によって第１チャンネル音声データの低域成分が加算された前記第２チャンネル音声データを、前記音声処理装置に接続されたスピーカーから再生させる再生手段と、前記高域通過フィルタによって抽出された前記第１チャンネル音声データの高域成分を前記ディスプレイ装置に送信する送信手段と、前記ディスプレイ装置から、前記ディスプレイスピーカーによって再生不可能な周波数の情報を受信する受信手段と、前記ディスプレイスピーカーが再生不可能な周波数の情報に基づいて、前記ディスプレイスピーカーで再生不可能な周波数成分を前記音声処理装置に接続されたスピーカーから再生されるように、前記高域通過フィルタおよび前記低域通過フィルタの通過周波数を設定する設定手段とを備える音声処理装置が接続可能であり、前記音声処理装置から、前記高域通過フィルタによって抽出された第１チャンネル音声データの高域成分を受信する音声受信手段と、前記高域通過フィルタによって抽出された第１チャンネル音声データの高域成分を前記ディスプレイスピーカーから再生させる音声再生手段と、前記ディスプレイスピーカーによって再生不可能な周波数の情報を予め記憶する記憶手段と、前記ディスプレイスピーカーによって再生不可能な周波数の情報を前記音声処理装置に送信する情報送信手段とを備える。
【発明の効果】
【００１４】
本発明によると、所定チャンネルの音声データをディスプレイ装置に送信し、ディスプレイ装置が備えるスピーカーから再生する場合に、ディスプレイ装置のスピーカーが再生することが出来ない周波数帯域の音声信号を再生することができる音声処理装置を提供することができる。
【図面の簡単な説明】
【００１５】
【図１】ディスプレイ装置、ＡＶアンプ、スピーカーの接続構成及び設置位置を示す図である。
【図２】ディスプレイ装置、ＡＶアンプ、ＢＤプレーヤの構成を示すブロック図である。
【図３】ＡＶアンプの音声処理部等を示すブロック図である。
【図４】ＨＰＦ、ＬＰＦの設定を説明する模式図である。
【図５】ディスプレイ装置の音声処理部等を示すブロック図である。
【図６】ＡＶアンプの制御部の処理を示すフローチャートである。
【発明を実施するための形態】
【００１６】
以下、本発明の好ましい実施形態によるディスク再生装置（ソース機器、ＢＤ（ブルーレイディスク）プレーヤ）、音声処理装置（リピータ機器、ＡＶアンプ）およびディスプレイ装置（シンク機器、テレビジョン受像機）を備える音声再生システムついて、図面を参照して具体的に説明するが、本発明はこれらの実施形態には限定されない。本実施形態においては、第１チャンネル音声データが中央音声データＣである場合を例に説明するが、これに限定されず、左上側音声データＬｈ、右上側音声データＲｈ等の任意の他のチャンネルであっても良い。同様に、本実施形態においては、第２チャンネル音声データが左音声データＬ、右音声データＲ、および、低域音声データＳＷである場合を例に説明するが、これに限定されず、左上側音声データＬｈ、右上側音声データＲｈ等の任意の他のチャンネルであっても良い。
【００１７】
図１は、本実施形態における、ＡＶアンプ２０、ディスプレイ装置３０、及び、各スピーカーの配置の一例を説明する図である（ＢＤプレーヤ１０の記述は省略している）。ディスプレイ装置３０には、表示部３２と、ディスプレイ左スピーカーＳＬＤと、ディスプレイ右スピーカーＳＲＤとが設けられている。ＡＶアンプ２０には、ＨＤＭＩケーブルを介してディスプレイ装置３０が接続され、左スピーカーＳＬ、右スピーカーＳＲ、中央スピーカーＳＣ、低域スピーカーＳＳＷ、サラウンド左スピーカーＳＳＬ、サラウンド右スピーカーＳＳＲが接続されている。なお、ディスプレイ左スピーカーＳＬＤと、ディスプレイ右スピーカーＳＲＤとから中央音声データＣを再生する場合において、ＡＶアンプ２０に中央スピーカーＳＣを接続する必要はないが、参考のために記載している。
【００１８】
図２は、ＢＤプレーヤ１０、ＡＶアンプ２０およびディスプレイ装置３０の構成を示すブロック図である。ＢＤプレーヤ１０、ＡＶアンプ２０およびディスプレイ装置３０は、例えばＨＤＭＩ規格に準拠しており、ＨＤＭＩケーブルを介して相互に接続されている。
【００１９】
［ＢＤプレーヤ１０の構成］
ＢＤプレーヤ１０は、再生部１１と、ＨＤＭＩ送信部１３と、制御部１４と、操作表示部１５と、メモリ（ＲＯＭ、ＲＡＭ、フラッシュメモリ等）１６と、コネクタ部１７とを有している。
【００２０】
再生部１１は、ブルーレイディスク（以下、単にディスクという。）に記録されている映像データをディスクから読み出して、ＨＤＭＩ送信部１３に供給する。また、再生部１１は、ディスクに記録されているエンコードされたマルチチャンネル音声データをディスクから読み出して、ＨＤＭＩ送信部１３に供給する。再生部１１は、図示しない光ピックアップ、サーボ回路、ＭＰＥＧデコーダ、音声デコーダ等を含む。
【００２１】
ＨＤＭＩ送信部１３は、再生部１１から供給された映像データおよび音声データを、制御部１４からのコマンドにより、ＨＤＭＩ規格のデータ（以下、ＨＤＭＩデータという。）に変換する。ＨＤＭＩ送信部１３は、ＨＤＭＩデータをコネクタ部１７を介してＨＤＭＩケーブル経由でＡＶアンプ２０に送信する。
【００２２】
ＨＤＭＩ送信部１３は、ＨＤＭＩデータを送受信するＴＭＤＳライン（通常は複数存在するが図１では簡単のため１本のラインのみを記載している）、および、接続の有無を判断するためのホットプラグを介して、ＡＶアンプ２０のＨＤＭＩ受信部２１に接続される。また、ＨＤＭＩ送信部１３は、認証情報やＥＤＩＤを読み出すためのＤＤＣラインを介してＡＶアンプ２０のＨＤＭＩ受信部２１、ＰＲＯＭに接続されている。
【００２３】
制御部１４は、内蔵又は接続されたメモリ１６に格納されているＢＤプレーヤの動作プログラムに基づいて、再生部１１、ＨＤＭＩ送信部１３、操作表示部１５、メモリ１６等を制御するものであり、例えば、マイクロコンピュータやＣＰＵ等である。制御部１４は、操作表示部１５からの操作入力または各部からの制御信号およびデータに基づいて各種処理を実行する。
【００２４】
制御部１４は、ＣＥＣラインを介してＡＶアンプ２０の制御部２３に接続され、制御部２３とコマンドおよび／またはデータを送受信する。
【００２５】
［ＡＶアンプ２０の構成］
次に、ＡＶアンプ２０の構成を説明する。ＡＶアンプ２０は、ＨＤＭＩ受信部２１と、ＨＤＭＩ送信部２２と、制御部２３と、操作表示部２４と、メモリ（ＲＯＭ、ＲＡＭ、フラッシュメモリ等）２５と、音声処理部２６と、コネクタ部２７、２８とを有している。
【００２６】
ＨＤＭＩ受信部２１は、ＢＤプレーヤ１０から送信されたＨＤＭＩデータを受信して、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元のマルチチャンネル音声データを生成して、音声処理部２６に供給する。
【００２７】
音声処理部２６は、ＨＤＭＩ受信部２１から供給されたマルチチャンネル音声データをデコードし、音響処理、Ｄ／Ａ変換処理、ボリューム調整処理、増幅処理等の各処理を実行し、外部に接続されたスピーカー６０（図１の各スピーカーに対応）に各チャンネルの音声信号を供給する。また、必要に応じて、音声処理部２６は、第１チャンネル音声データをＨＤＭＩ送信部２２に供給する。
【００２８】
ここで、音声処理部２６に供給されるマルチチャンネル音声データについて説明する。例えば、マルチチャンネル音声データは、左音声データＬ、右音声データＲ、中央音声データＣ、低域音声データＳＷ、サラウンド左音声データＳＬ、サラウンド右音声データＳＲを含む５．１ｃｈのマルチチャンネル音声データが採用されている。また、最近では、Dolby True HD、Dolby Digital Plus、DTS-HD等のＨＤ（High
Definition）関連の音声フォーマットが登場してきており、これらのフォーマットにおいては、例えば、サラウンド後方左音声データＳＢＬ、サラウンド後方右音声データＳＢＲ、左上側音声データＬｈ、右上側音声データＲｈ、左外側音声データＬｗ、右外側音声データＲｗがさらに追加されている。
【００２９】
図３は、音声処理部２６の構成を示すブロック図である。音声処理部２６は、ＤＳＰ（デジタルシグナルプロセッサ）４１と、ＤＡＣ（デジタル−アナログ変換器）５０と、ボリューム調整部５１と、増幅処理部（プリアンプ、パワーアンプ等）５２と、変換部５３とを有する。
【００３０】
ＤＳＰ４１は、ＨＤＭＩ受信部２１から供給されるマルチチャンネル音声データをデコードし、デコードされた各チャンネルの音声データ（例えば、左音声データＬ、右音声データＲ、中央音声データＣ、低域音声データＳＷ、サラウンド左音声データＳＬ、サラウンド右音声データＳＲ等。）を生成する。これらの音声データのうち、左音声データＬ、右音声データＲ、中央音声データＣ、サラウンド左音声データＳＬ、サラウンド右音声データＳＲは、それぞれ、対応するＨＰＦ（高域通過フィルタ）４２ａ〜４２ｅに供給され、かつ、ＬＰＦ（低域通過フィルタ）４４ａ〜４４ｅに供給される。
【００３１】
ＨＰＦ４２ａ〜４２ｅは、それぞれ、供給されるチャンネルの音声データの高域成分を抽出し、遅延手段４３ａ〜４３ｅに供給する。遅延手段４３ａ〜４３ｅは、それぞれ、供給されるチャンネルの音声データを制御部２３によって決定された遅延時間だけ遅延させて、後段に供給する。つまり、遅延手段４３ａは、左音声データＬを加算手段４８ａに供給し、遅延手段４３ｂは、右音声データＲを加算手段４８ｂに供給し、遅延手段４３ｃは、中央音声データＣをスイッチ手段４９に供給し、遅延手段４３ｄは、サラウンド左音声データＳＬをＤＡＣ５０に供給し、遅延手段４３ｅは、サラウンド右音声データＳＲをＤＡＣ５０に供給する。
【００３２】
ＬＰＦ４４ａ〜４４ｅは、それぞれ、供給されるチャンネルの音声データの低域成分を抽出し、減衰手段４５ａに供給する。減衰手段４５ａは、供給される各チャンネルの音声データを−２０ｄＢ減衰させ、加算手段４６に供給する。減衰手段４５ｂは、低域音声データＳＷを受信し、低域音声データＳＷを−１０ｄＢ減衰させ、加算手段４６に供給する。加算手段４６は、供給される低域音声データＳＷに、供給される左音声データＬ、右音声データＲ、中央音声データＣ、サラウンド左音声データＳＬ、サラウンド右音声データＳＲの各低域成分を加算し、加算後の低域音声データＳＷを遅延手段４３ｆに供給する。
【００３３】
遅延手段４３ｆは、加算手段４６から供給された低域音声信号ＳＷを制御部２３によって決定された遅延時間だけ遅延させて、加算手段４８ａ、４８ｂおよび増幅手段４７に供給する。加算手段４８ａは、遅延手段４３ａから供給される左音声データＬに、遅延手段４３ｆから供給される低域音声データＳＷを加算し、加算後の左音声データＬをＤＡＣ５０に供給する。加算手段４８ｂは、遅延手段４３ｂから供給される右音声データＲに、遅延手段４３ｆから供給される低域音声データＳＷを加算し、加算後の右音声データＲをＤＡＣ５０に供給する。増幅手段４７は、遅延手段４３ｆから供給される低域音声データＳＷを２０ｄＢ増幅し、ＤＡＣ５０に供給する。
【００３４】
スイッチ手段４９は、遅延手段４３ｃから供給される中央音声データＣをＤＡＣ５０に供給するか、又は、変換部５３に供給するかを制御部２３の指示に基づいて切換える。つまり、中央音声データをディスプレイ装置３０のスピーカー３７で再生する場合には、スイッチ手段４９は中央音声データＣを変換部５３に供給するように下側に切換えられ、中央音声データＣをＡＶアンプ２０に接続された中央スピーカーＳＣで再生する場合には、スイッチ手段４９は中央音声データＣをＤＡＣ５０に供給するように上側に切換えられる。
【００３５】
ＤＡＣ５０は、ＤＳＰ４１から供給される各チャンネルの音声データをデジタル−アナログ変換し、各チャンネルのアナログ音声信号をボリューム調整部５１に供給する。なお、ＤＡＣ５０は、各チャンネル毎に設けられている。
【００３６】
ボリューム調整部５１は、各チャンネルのアナログの音声信号のボリューム値を調整し、増幅処理部５２に供給する。ボリューム調整部５１は、各チャンネル毎に可変抵抗等のボリューム調整回路が設けられている。
【００３７】
増幅処理部５２は、ボリューム調整部５１から供給された各チャンネルの音声信号を増幅して、各チャンネルのスピーカー出力端子を介して、各チャンネルのスピーカーに出力する。増幅処理部５２は、各チャンネル毎に増幅回路が設けられている。
【００３８】
変換部５３は、スイッチ手段４９から中央音声データＣが供給される。また、変換部５３は、ＤＳＰ４１からビットクロックＢＣＬＫ、マスタークロックＭＣＬＫ及びＬＲクロックＬＲＣＬＫが供給される。変換部５３は、各クロックに基づいて、中央音声データＣをＳＰＤＩＦ（ＰＣＭ）の音声データに変換し、ＨＤＭＩ送信部２２に供給する。
【００３９】
図２に戻って、ＨＤＭＩ送信部２２は、ＨＤＭＩ受信部２１から供給された映像データ、並びに、音声処理部２６の変換部５３から供給された中央音声データＣを、ＨＤＭＩデータに変換する。ＨＤＭＩ送信部２２は、変換したＨＤＭＩデータをディスプレイ装置３０のＨＤＭＩ受信部３１に送信する。
【００４０】
ＨＤＭＩ送信部２２は、ＴＭＤＳラインおよびホットプラグを介して、ディスプレイ装置３０のＨＤＭＩ受信部３１に接続されている。また、ＨＤＭＩ送信部２２は、ＤＤＣラインを介してディスプレイ装置３０のＰＲＯＭ及びＨＤＭＩ受信部３１に接続されている。
【００４１】
制御部２３は、内蔵又は接続されたメモリ２５に記憶されているＡＶアンプ２０の動作プログラムに基づいて、ＨＤＭＩ受信部２１、ＨＤＭＩ送信部２２、操作表示部２４、音声処理部２６等を制御するものであり、例えば、マイクロコンピュータやＣＰＵ等である。制御部２３は、操作表示部２４からの操作入力または各部からの制御信号およびデータに基づいて各種処理を実行する。
【００４２】
制御部２３は、ユーザ操作に応じて、中央音声データＣをディスプレイ装置３０のスピーカー３７から再生する指示が入力されたかを判断する。ディスプレイ装置３０のスピーカー３７から再生する指示が入力された場合、制御部２３は、スイッチ手段４９を下側に切換えさせ、中央音声データＣを変換部５３に供給させる。一方、ＡＶアンプ２０に接続された中央スピーカーＳＣから中央音声データＣを再生する指示が入力された場合、制御部２３は、スイッチ手段４９を上側に切換えさせ、中央音声データＣをＤＡＣ５０に供給させる。
【００４３】
制御部２３は、ＣＥＣラインを介してＢＤプレーヤ１０の制御部１４に接続され、制御部１４とコマンドおよびデータを送受信する。また、制御部２３は、ＣＥＣラインを介してディスプレイ装置３０の制御部３３に接続され、制御部３３とコマンドおよびデータを送受信する。
【００４４】
制御部２３は、ディスプレイ装置３０の制御部３３から、ディスプレイ装置３０のスピーカー３７の周波数特性情報をＣＥＣラインを介して受信し、メモリ２５に保存する。スピーカー３７の周波数特性情報は、図４（ｃ）に示すように、クロスオーバー周波数に相当する周波数ｆ２であり、再生される音声信号が３ｄＢ減衰し始める周波数である。つまり、スピーカー３７の周波数特性情報は、当該周波数以下の周波数帯域の音声信号を十分に再生することができない周波数（スピーカー３７によって再生不可能な周波数）を示す。ディスプレイ装置３０のスピーカー３７はＡＶアンプ２０に接続されるスピーカー６０と比較して、再生不可能な周波数が高くなっており、音声信号の低域成分を十分に再生することができない。
【００４５】
制御部２３は、ディスプレイ装置３０の制御部３３から取得した周波数特性情報に基づいて、中央音声データＣのＨＰＦ４２ｃおよびＬＰＦ４４ｃのクロスオーバー周波数（通過周波数）を設定する。すなわち、図４（ｂ）に示すように、制御部２３は、中央音声データＣのＨＰＦ４２ｃおよびＬＰＦ４４ｃのクロスオーバー周波数を、ディスプレイ装置３０の制御部３３から取得した周波数特性情報の周波数ｆ２に一致させるように設定する。一方、左音声データＬ、右音声データＲ、サラウンド左音声データＳＬ、サラウンド右音声データＳＲの各ＨＰＦ、各ＬＰＦのクロスオーバー周波数は、図４（ａ）に示すように、所定の周波数（ｆ２よりも低周波数である周波数ｆ１）に設定されている。
【００４６】
これにより、ＨＰＦ４２ｃによって、中央音声データＣの周波数成分の内、周波数ｆ２以上の周波数成分（つまり、ディスプレイ装置３０のスピーカー３７で再生できる周波数成分）のみが抽出されて、ディスプレイ装置３０のスピーカー３７から再生される。一方、ＬＰＦ４４ｃによって、中央音声データＣの周波数成分の内、周波数ｆ２未満の周波数成分（つまり、ディスプレイ装置３０のスピーカー３７で再生できない周波数成分）が抽出されて、左音声データＬ、右音声データＲ、低域音声データＳＷ等に加算されて、ＡＶアンプ２０に接続されているスピーカーＳＬ、ＳＲ、ＳＳＷ等から再生される。その結果、従来ではディスプレイスピーカーで再生することができなかった中央音声データの周波数ｆ２未満の周波数成分を、ＡＶアンプ２０に接続されているスピーカーによって再生することができる。
【００４７】
［ディスプレイ装置３０の構成］
次に、再び図２を参照し、ディスプレイ装置３０について説明する。ディスプレイ装置３０は、ＨＤＭＩ受信部３１と、表示部３２と、制御部３３と、メモリ（ＲＯＭ、ＲＡＭ、フラッシュメモリ等）３４と、操作部３５と、音声処理部３６と、スピーカー３７（図１における、ディスプレイ左スピーカーＳＬＤ及びディスプレイ右スピーカーＳＲＤに対応）と、コネクタ部３８とを有する。
【００４８】
ＨＤＭＩ受信部３１は、ＡＶアンプ２０のＨＤＭＩ送信部２２から送信されたＨＤＭＩデータを受信して、ＨＤＭＩデータから元の映像データを生成し、表示部３２に供給する。また、ＨＤＭＩ受信部３１は、ＨＤＭＩデータから元の音声データを生成して、音声処理部３６に供給する。音声データは、上記の通り、中央音声データＣを含むＳＰＤＩＦ（ＰＣＭ）データである。
【００４９】
音声処理部３６は、ＨＤＭＩ受信部３１から供給された音声データを、音響処理、Ｄ／Ａ変換処理、ボリューム調整処理、増幅処理等の各処理を実行し、スピーカー３７に供給する。図５は、音声処理部３６の構成を示すブロック図である。音声処理部３６は、ＤＳＰ（デジタルシグナルプロセッサ）５５と、ＤＡＣ（デジタル−アナログ変換器）５６と、ボリューム調整部５７と、増幅処理部５８とを含む。
【００５０】
ＤＳＰ５６は、ＨＤＭＩ受信部３１から供給される音声データに音響処理や、デコード処理を実行し、ＤＡＣ５６に供給する。ＤＡＣ５６は、ＤＳＰ５５から供給される音声データをデジタル−アナログ変換し、アナログ音声信号をボリューム調整部５７に供給する。ボリューム調整部５７は、ＤＡＣ５６からのアナログ音声信号のボリューム値を調整し、増幅処理部５８に供給する。ボリューム調整部５７のボリューム値は、ＡＶアンプ２０の制御部２３からのボリューム設定コマンドに含まれているボリューム値に制御部３３によって調整される。増幅処理部５８は、ボリューム調整部５７からの音声信号を増幅し、スピーカーに出力する。すなわち、中央音声データＣがディスプレイ左スピーカーＳＬＤ、および、ディスプレイ右スピーカーＳＲＤから再生される。
【００５１】
図２に戻って、表示部３２は、ＨＤＭＩ受信部３１から映像データが供給され、当該映像データに基づいて映像を表示するものであり、例えば、ＬＣＤまたはＣＲＴ等である。
【００５２】
制御部３３は、内蔵又は接続されたメモリ３４に格納されたディスプレイ装置の動作プログラムに基づいて、ＨＤＭＩ受信部３１、表示部３２、音声処理部３６等を制御するものであり、例えば、マイクロコンピュータやＣＰＵ等である。制御部３３は、操作部３５からの操作入力または各部からの制御信号およびデータに基づいて各種処理を実行する。
【００５３】
メモリ３４には、スピーカー３７の周波数特性情報（スピーカー３７で再生不可能な周波数の情報）が予め格納されている。制御部３３は、ＣＥＣラインを介して、ＡＶアンプ２０の制御部２３にスピーカー３７の周波数特性情報を送信する。
【００５４】
制御部３３は、ＡＶアンプ２０の制御部２３からボリューム設定コマンドを受信すると、ボリューム設定コマンドに含まれているボリューム値に基づいて、ボリューム調整部５２のボリューム値を制御する。制御部３３は、ボリューム値の制御が完了すると、ＣＥＣラインを介して、ＡＶアンプ２０の制御部２３にボリューム設定完了通知を送信する。ＡＶアンプ２０に、中央音声データＣを含むＨＤＭＩデータの送信開始を促すためである。
【００５５】
［音声再生システムの動作］
以下、本発明の動作を図６のフローチャートを参照し、説明する。図６に示すように、ＡＶアンプ２０の制御部２３は、ディスプレイ装置３０がＡＶアンプ２０に接続されたか否かを判断する（Ｓ１）。接続された場合（Ｓ１でＹＥＳ）、制御部２３は、ディスプレイ装置３０の制御部３３に、ＣＥＣラインを介して、スピーカー３７の周波数特性情報（図４の周波数ｆ２）を要求する。ディスプレイ装置３０の制御部３３は、スピーカー３７の周波数特性情報を要求を受信すると、メモリ３４からスピーカー３７の周波数特性情報を読み出して、ＣＥＣラインを介して、ＡＶアンプ２０に送信する。ＡＶアンプ２０の制御部２３は、ＣＥＣラインを介して、スピーカー３７の周波数特性情報を受信し、メモリ２５に保存する（Ｓ２）。
【００５６】
制御部２３は、ユーザ操作によって、ディスプレイ装置３０のスピーカーを使用して中央音声データＣを再生する指示が入力されたか否かを判断する（Ｓ３）。入力された場合（Ｓ３でＹＥＳ）、図４（ｂ）に示すように、制御部２３は、中央音声データＣのＨＰＦ４２ｃおよびＬＰＦ４４ｃのクロスオーバー周波数を、ディスプレイ装置３０の制御部３３から取得した周波数特性情報の周波数ｆ２に一致させるように設定する（Ｓ４）。制御部２３は、スイッチ手段４９を下側に切換える（Ｓ５）。従って、中央音声データＣは変換部５３に供給されＳＰＤＩＦ形式に変換され、ＨＤＭＩ送信部２２でＨＤＭＩデータに変換されて、ディスプレイ装置３０のＨＤＭＩ受信部３１に送信される。ディスプレイ装置３０のＨＤＭＩ受信部３１はＨＤＭＩデータを受信し、中央音声データＣを生成し、音声処理部３６を介してスピーカー３７から中央音声データＣが再生される。
【００５７】
このとき、中央音声データＣのＨＰＦ４２ｃおよびＬＰＦ４４ｃのクロスオーバー周波数を、ディスプレイ装置３０の制御部３３から取得した周波数特性情報の周波数ｆ２に一致させるように設定することで、ディスプレイ装置３０のスピーカー３７で再生できない周波数成分を、ディスプレイ装置３０に送信する中央音声データＣから除去し、左音声データＬ、右音声データＲおよび／または低域音声データＳＷに加算して、ＡＶアンプ２０に接続されているスピーカーＳＬ、ＳＲ、ＳＣから再生することができる。
【００５８】
一方、Ｓ３でディスプレイ装置３０のスピーカー３７を使用しない（つまり、ＡＶアンプ２０に接続されている中央スピーカーＳＣを使用する）指示がユーザ操作によって入力された場合（Ｓ３でＮＯ）、制御部２３は、中央音声データＣのＨＰＦ４２ｃおよびＬＰＦ４４ｃのクロスオーバー周波数を、図４（ａ）に示すように、所定の周波数ｆ１（例えば、他のチャンネルのＨＰＦ４２およびＬＰＦ４４のクロスオーバー周波数と同じ周波数）に設定する（Ｓ６）。制御部２３は、スイッチ手段４９を上側に切換える（Ｓ７）。従って、中央音声データＣは、ＡＶアンプ２０に接続されているスピーカーＳＣから再生される。
【００５９】
ここで、中央音声データＣのＨＰＦ４２ｃおよびＬＰＦ４４ｃのクロスオーバー周波数を、所定の周波数ｆ１に設定することによって、ＡＶアンプ２０の中央スピーカーＳＣから再生される中央音声データＣについて、ディスプレイ装置３０のスピーカー３７の周波数特性に基づいて例えばｆ１〜ｆ２の周波数成分が除去されてしまうことを防止することができる。
【００６０】
以上のように本実施形態によると、ディスプレイ装置３０のディスプレイスピーカー３７で再生できない周波数成分を、第２チャンネル音声データの一例である左音声データＬ、右音声データＲ、低域音声データＳＷ等に加算して、ＡＶアンプ２０に接続されたスピーカーから再生することによって、音声再生システム全体として、ディスプレイ装置３０のディスプレイスピーカー３７で再生できない周波数成分を再生することができる。なお、本実施形態において、スイッチ手段４９を設けずに、中央音声データＣを必ずディスプレイ装置３０のスピーカー３７から再生する場合には、図５のフローチャートにおいて、Ｓ３、Ｓ５、Ｓ６、Ｓ７の各処理は省略されるとよい。
【００６１】
以上、本発明の好ましい実施形態を説明したが、本発明はこれらの実施形態には限定されない。ＡＶアンプ２０にＢＤプレーヤ１０の機能が含まれていてもよく、この場合、ＨＤＭＩ受信部２１は不要になる。また、ＡＶアンプ２０が、ＢＤプレーヤ１０に代えてＴＶチューナやラジオチューナ等の受信機からＨＤＭＩデータを受信してもよい。また、ディスプレイ装置に送信される音声データは、ＨＤＭＩケーブルを介して送信されるのではなく、光デジタルケーブル等で送信されてもよい。この場合、別途他の通信ケーブルを介して周波数特性の情報が送信されるとよい。また、本実施形態では、中央音声データＣ以外のチャンネルの音声データの低域成分もＬＰＦで抽出して、左音声データＬ、右音声データＲ、低域音声データＳＷに加算しているが、これに限定されず、中央音声データＣのみの低域成分もＬＰＦで抽出して、左音声データＬ、右音声データＲ、低域音声データＳＷに加算するようにしてもよい。また、周波数特性情報を送信する手段はＣＥＣに限定され、ＵＳＢ、ＩＥＥＥ１３９４等の他の通信規格が採用されてもよい。また、ＡＶアンプの上記動作をコンピュータに実行させるためのプログラムおよびこれを記録した記録媒体という形態で提供されてもよい。また、ＡＶアンプの上記動作の一部のみのプログラムを、ＡＶアンプにファームウェアアップデートという形態で提供されてもよい。さらには、ＡＶアンプの上記動作の一部のみのプログラムが格納されたＤＳＰ、マイコンなどの電子部品という形態で提供されてもよい。
【産業上の利用可能性】
【００６２】
本発明は、ＡＶアンプ等に好適に採用され得る。
【符号の説明】
【００６３】
１０            ＢＤプレーヤ
１１            再生部
１３            ＨＤＭＩ送信部
１４            制御部
１５            操作表示部
１６            メモリ
１７            コネクタ部
２０            ＡＶアンプ
２１            ＨＤＭＩ受信部
２２            ＨＤＭＩ送信部
２３            制御部
２４            操作表示部
２５            メモリ
２６            音声処理部
２７            コネクタ部
２８            コネクタ部
３０            ディスプレイ装置
３１            ＨＤＭＩ受信部
３２            表示部
３３            制御部
３４            メモリ
３５            操作部
３６            音声処理部
３７            ディスプレイスピーカー
３８            コネクタ部
４１            ＤＳＰ
４２ａ〜４２ｅ  ＨＰＦ
４３ａ〜４３ｅ  遅延手段
４４ａ〜４４ｅ  ＬＰＦ
４５ａ〜４５ｂ  減衰手段
４６            加算手段
４７            増幅手段
４８ａ〜４８ｂ  加算手段
４９            スイッチ手段
５０            ＤＡＣ
５１            ボリューム調整部
５２            増幅処理部
５５            ＤＳＰ
５６            ＤＡＣ
５７            ボリューム調整部
５８            増幅処理部
【図１】
2013090300.tif 000003
【図２】
2013090300.tif 000004
【図３】
2013090300.tif 000005
【図４】
2013090300.tif 000006
【図５】
2013090300.tif 000007
【図６】
2013090300.tif 000008